(57)【特許請求の範囲】
【請求項１】
陳列台本体の背板に化粧品陳列用トレイが上下に多段並設されている化粧品陳列台であって、上記化粧品陳列用トレイの少なくとも底部が、透光性を有する材料で形成され、かつ平板体の上面に円柱形状の凸部が前後方向および左右方向に規則正しく整列した状態で多数突設されたもので構成され、これにより上記底部が、その下面から透過した光を乱反射するように構成され、上記底部の下側に照明が配設され、この照明の光により上記化粧品陳列用トレイ上の化粧品がライトアップされるようになっており、平板体からなる透明仕切りプレートが、上記底部の各凸部間に形成される隙間に起立状に配設されていることを特徴とする化粧品陳列台。
【請求項２】
上記背板が透光性を有する材料で形成され、その前面に凹凸が設けられ、上記背板の後側に照明が配設されている請求項１記載の化粧品陳列台。
【請求項３】
上記背板が、平板体の前面に凸部が多数突設されたもので構成され、上記各凸部が、上下方向および左右方向に規則正しく整列した状態で突設されている請求項２記載の化粧品陳列台。
【発明の詳細な説明】
【０００１】
【発明の属する技術分野】
本発明は、化粧品（テスター用化粧品等のテスターを含む）を店頭等に陳列するための化粧品陳列台に関するものである。
【０００２】
【従来の技術】
従来から、化粧品販売店等では、店員に相談することなく、顧客自身が店頭等で化粧品を自由に選択することができるように、化粧品を日用雑貨のように大量に陳列した化粧品陳列台を置くようにした店が増えてきている。このような店では、店頭等で顧客が沢山の種類の化粧品を手に取って吟味することができ、しかも、推奨型販売に対して感じるような煩わしさもないため、好評であり、店数がさらに増える傾向にある。
【０００３】
このような、化粧品を大量に陳列しうる化粧品陳列台として、図１５および図１６に示すような化粧品陳列棚が提案されている（実開平２−１０３３５１号公報）。この化粧品陳列棚は、内部に２本の蛍光灯５２が配設された基台５１と、この基台５１の後端部から立設される背面板５３と、この背面板５３の左右両側に配設される左右一対の支柱５４と、上記背面板５３に着脱自在に固定された上下４段の棚板５５と、内部に１本の蛍光灯（図示せず）が配設されたパネルボックス５６とを備えており、このパネルボックス５６が両支柱５４の上端部に固定されている。また、上記各棚板５５は、四角形状枠体からなる棚枠５７（棚枠５７自体は、Ｌ字状に形成されている）と、この棚枠５７のＬ字状の横辺５７ａに載置される透明アクリル板５８と、上記棚枠５７の後壁から突設される左右一対の略Ｌ字状アーム５９と、上記棚枠５７の前壁に取り付けられたプライス・レール６０とからなり、上記両略Ｌ字状アーム５９が背面板５３に着脱自在に固定されている。また、上記プライス・レール６０には、図１７に示すように、その上下両端部に折り返し部６０ａが形成されており、これら両折り返し部６０ａに左右方向から、表面に商品名とその価格を表示したプライス・カード６１を差し込むことができるようにしている。図において、５１ａは基台５１の上面に取り付けた透明アクリル板で、５６ａはパネルボックス５６内部の蛍光灯を覆う透明アクリル板製のカバーである。
【０００４】
【発明が解決しようとする課題】
しかしながら、上記の化粧品陳列棚では、上下４段の棚板５５に陳列された化粧品のうち、最上段の棚板５５に陳列された化粧品を、パネルボックス５６内部の蛍光灯の光で上から充分に照らし、最下段の棚板５５に陳列された化粧品を、基台５１内部の両蛍光灯５２の光で下から充分に照らすことができるものの、中央２段の棚板５５に陳列された化粧品を充分に照らすことができない。しかも、パネルボックス５６内部の蛍光灯および基台５１内部の両蛍光灯５２の光で、上下４段の棚板５５に陳列された化粧品を照らしただけでは、照明効果に劣り、顧客の目を強く引き付けることができない。
【０００５】
本発明は、このような事情に鑑みなされたもので、化粧品を上からも下からも照明することができ、しかも、優れた照明効果により顧客の目を強く引き付けることのできる化粧品陳列台の提供をその目的とする。
【０００６】
【課題を解決するための手段】
上記の目的を達成するため、本発明の化粧品陳列台は、陳列台本体の背板に化粧品陳列用トレイが上下に多段並設されている化粧品陳列台であって、上記化粧品陳列用トレイの少なくとも底部が、透光性を有する材料で形成され、かつ平板体の上面に円柱形状の凸部が前後方向および左右方向に規則正しく整列した状態で多数突設されたもので構成され、これにより上記底部が、その下面から透過した光を乱反射するように構成され、上記底部の下側に照明が配設され、この照明の光により上記化粧品陳列用トレイ上の化粧品がライトアップされるようになっており、平板体からなる透明仕切りプレートが、上記底部の各凸部間に形成される隙間に起立状に配設されているという構成をとる。
【０００７】
すなわち、本発明の化粧品陳列台は、陳列台本体に上下に多段並設された化粧品陳列用トレイの少なくとも底部が、底部下面から透過した光を乱反射するように構成されているとともに、上記底部の下側に照明が配設されている。したがって、上記照明の光が上記底部を透過する際に乱反射して光り輝き、この輝く光で化粧品陳列用トレイ上の化粧品を下から充分にライトアップすることができる。また、上記照明で、その下側にある化粧品全体を上から充分に照らすことができる。このように、本発明の化粧品陳列台では、化粧品陳列用トレイの下側に配設された照明の光で、この照明の下側にある化粧品全体を上から明るく照らすことができるだけでなく、化粧品陳列用トレイに陳列された化粧品を下からライトアップすることができる。また、上記照明の光が上記底部を透過する際に乱反射して光り輝くため、この輝く光で化粧品を下からライトアップすることができ、照明効果に優れ、顧客の目を強く引き付けることができる。なお、本発明において、「化粧品陳列用トレイ」とは、陳列台本体に着脱自在に取り付けられるものだけでなく、陳列台本体に一体形成されるものをも含む意味である。また、「透光性を有する材料」としては、例えば、ポリエチレン，ポリプロピレン，ポリスチレン，ポリ塩化ビニル，アクリル樹脂，ＡＢＳ樹脂，メタクリル樹脂等の各種合成樹脂が用いられる。
【０００８】
本発明では、上記底部が透光性を有する材料で形成され、その上面に凹凸が設けられているため、上記底部を透過した光が上記凹凸で乱反射され、輝く光となって上記底部の上側空間を照らす。
【０００９】
本発明では、上記底部が、平板体の上面に凸部が多数突設されたもので構成され、上記各凸部が、前後方向および左右方向に規則正しく整列した状態で突設されているため、平板状に形成された透明仕切りプレートを用い、これを上記各凸部間に形成される隙間に位置決め，固定することにより、上記底部を複数の区域に仕切ることができる。
【００１０】
本発明において、上記背板が透光性を有する材料で形成され、その前面に凹凸が設けられ、上記背板の後側に照明が配設されている場合には、上記背板の後側に配設された照明の光が上記背板を透過して上記凹凸で乱反射され、輝く光となって上記背板の前側空間を照らす。
【００１１】
本発明において、上記背板が、平板体の前面に凸部が多数突設されたもので構成され、上記各凸部が、上下方向および左右方向に規則正しく整列した状態で突設されている場合には、平板状に形成された仕切り板等を用い、これを上記各凸部間に形成される隙間に位置決め，固定することにより、上記背板を複数の区域に仕切ることができる。
【００１２】
【発明の実施の形態】
つぎに、本発明の実施の形態を図面にもとづいて詳しく説明する。
【００１３】
図１〜図３は本発明の化粧品陳列台の一実施の形態を示している。図１に示す化粧品陳列台は第１化粧品陳列台であり、図２および図３に示す化粧品陳列台は第２化粧品陳列台である。図１において、１は陳列台本体であり、上面が陳列面に形成された台部２と、この台部２の上面後端部から立設される陳列用パネル３とからなる。この陳列用パネル３には、その前面の上端部と下端部との間に支受棚４が上下多段に並設されている。これら各支受棚４は、図４に示すように、陳列用パネル３の右端部から左端部にわたって水平に延びる支受用垂直板５と、この支受用垂直板５を陳列用パネル３の前面に固定する上下一対の固定板６とからり、所望の支受用垂直板５に複数の化粧品陳列用トレイ１３が支受されている。また、上記陳列用パネル３には、ビジュアルインタラクティブＰＯＰ（以下、ＶＩＰという）７が取り付けられている。
【００１４】
上記化粧品陳列用トレイ１３は、後側に配設される本体トレイ１４と、この本体トレイ１４の前端部に設けたガイドプレート２０（図４参照）に左右にスライド自在に支受されるテスターホルダー１５とからなり、上記本体トレイ１４に、ネイル，カラーアイズ，アイグロス，ファンデーション，リップ等の化粧品（商品）１１が陳列され、上記テスターホルダー１５に、上記化粧品１１のテスター用化粧品（テスター）１２が陳列されている。なお、上記本体トレイ１４にテスターホルダー１５を常に支受する必要はなく、テスターホルダー１５を支受しなくてもよい。
【００１５】
上記本体トレイ１４は、図５に示すように、四角形状枠体からなるフレーム１６と、このフレーム１６の上面に立設される四角形状筒体からなる透明ケース１７と、上記フレーム１６の上面に載置される固定プレート１８（図５では、図示せず）と、上記フレーム１６の後壁に固定される３つのフック１９と、上記透明ケース１７の前壁との間に所定距離をあけた状態で上記フレーム１６の前端部から立設される３つのガイドプレート２０と、上記フレーム１６の下側空間に配設される照明２１と、この照明２１を取り囲むようにして上記フレーム１６の下面に固定される四角形状有底筒体の透明カバー２２とからなり、上記各フック１９の上端Ｕ字部１９ａ（図４参照）が陳列用パネル３の支受用垂直板５に左右にスライド自在に係合している。
【００１６】
そして、上記支受用垂直板５に係合している本体トレイ１４を右側（もしくは左側）にスライドさせると、支受用垂直板５の右端（もしくは左端）から上記３つのフック１９が外方に引き出され、本体トレイ１４が支受用垂直板５から取り外される。一方、上記支受用垂直板５の右端（もしくは左端）に上記３つのフック１９のうち、左側（もしくは右側）のフック１９の上端Ｕ字部１９ａを位置決めし、その状態で支受用垂直板５側にスライドさせると、この支受用垂直板５に左側（もしくは右側）のフック１９，中央のフック１９，右側（もしくは左側）のフック１９がこの順に係合し、本体トレイ１４が支受用垂直板５に取り付けられる。また、上記３つのフック１９の下端面は透明カバー２２の底板２２ａの下面と面一に、もしくは底板２２ａより上側に位置するように設定されている。図５において、２３は上記フレーム１６の前後両壁間に架設される左右一対の補強棒であり、２４は上記両補強棒２３間に架設される補強部材である。
【００１７】
上記固定プレート１８は、透光性を有するプラスチック材料（アクリル樹脂板）により作製されており、図６に示すように、四角形状平板体の上面に円柱形状の凸部１８ａが多数突設されたもので構成されている。上記各凸部１８ａは、前後方向および左右方向に規則正しく整列した状態（すなわち、前後方向に等間隔をあけて一直線状に並び、かつ、左右方向に等間隔をあけて一直線状に並んだ状態）で突設されている。このため、隣接する各凸部１８ａ間に形成される隙間も、前後方向および左右方向に規則正しく整列した状態になっている。このような固定プレート１８は、平板体からなる透明仕切りプレート２５と組み合わせて用いることができる。この透明仕切りプレート２５は、上記各凸部１８ａ間に形成される隙間に起立状に配設することができ、これにより、化粧品１１の寸法に合わせて固定プレート１８を所望の区域に仕切ることができる。
【００１８】
また、上記固定プレート１８は、図７に示すように、ひな段２６とともに用いることもできる。このひな段２６は、一対の透明縦板２７と、これら両透明縦板２７間に架設される小形固定プレート２８とからなり、この小形固定プレート２８が、固定プレート１８と同様に、四角形状平板体の上面に円柱形状の凸部２８ａが多数突設されたもので構成されている。また、この小形固定プレート２８にも透明仕切りプレート２５を起立状に配設することができる。そして、上記固定プレート１８，小形固定プレート２８に突設された多数の凸部１８ａ，２８ａにより、上記照明２１の光が固定プレート１８，小形固定プレート２８を下から上に通過する際に乱反射して光り輝き、この輝く光で本体トレイ１４に陳列される化粧品１１を下から明るく照らすライトアップ効果がある。また、上記照明２１の光は本体トレイ１４に陳列される化粧品１１全体を上から明るく照らしている。このような本体トレイ１４，固定プレート１８，透明仕切りプレート２５，ひな段２６，小形固定プレート２８は、前後幅，左右幅，高さ等が異なる複数種類のものが作製されており、適宜使用されている。
【００１９】
上記テスターホルダー１５は、図８および図９に示すように、テスター用化粧品１２を収容するテスター収容部３０と、このテスター収容部３０の前壁上端部から前・下向き傾斜状に延びるバーコード表示プレート３１と、このバーコード表示プレート３１の上面３１ａを蓋する状態で上記バーコード表示プレート３１の上端部にヒンジ軸３３（図８では、図示せず）を介して回動自在に連結されるプライス表示プレート３２と、上記テスター収容部３０の後壁から突設されるガイドレール３４とからなり、このガイドレール３４が上記本体トレイ１４のガイドプレート２０に左右にスライド自在に係合している（図４参照）。
【００２０】
そして、上記本体トレイ１４のガイドプレート２０に係合しているテスターホルダー１５のガイドレール３４を右側（もしくは左側）にスライドさせると、ガイドプレート２０の右端（もしくは左端）からガイドレール３４が外方に引き出され、テスターホルダー１５が本体トレイ１４から取り外される。一方、上記ガイドプレート２０の右端（もしくは左端）にガイドレール３４を位置決めし、その状態でガイドプレート２０側にスライドさせると、このガイドプレート２０にガイドレール３４が係合し、テスターホルダー１５が本体トレイ１４に取り付けられる。
【００２１】
上記バーコード表示プレート３１には、その上面３１ａの上下両端部に折り返し部（図示せず）が形成されており、これら両折り返し部に、バーコード等が表示されたバーコード表示カード（図示せず）が挿抜自在に差し込まれている。また、プライス表示プレート３２には、その上面３２ａの上下両端部に折り返し部（図示せず）が形成されており、これら両折り返し部に、商品名，その価格等の各種情報やＰＯＰ広告等が表示されたプライス表示カード（図示せず）が挿抜自在に差し込まれている。そして、上記プライス表示カードを差し込んだプライス表示プレート３２でバーコード表示プレート３１の上面３１ａを蓋した状態では（図４参照）、上記バーコード表示カードに表示されたバーコードが外部から見えないようになっている。このため、上記バーコードが外部に露呈するようにするためには、図９に示すように、プライス表示プレート３２を上方に回動させる必要がある。図８において、３５はリップ等のテスター用化粧品１２用の仕切りパーツである。
【００２２】
図１０および図１１は上記テスターホルダー１５の変形例を示している。図１０に示すテスターホルダー１５は、ペンもの等のテスター用化粧品１２を収容するテスターホルダー１５であり、それに応じた仕切りパーツ３５が用いられている。また、図１１に示すテスターホルダー１５は、ファンデーションパクト等のテスター用化粧品１２を収容するテスターホルダー１５であり、仕切りパーツ３５が用いられていない。また、図１０および図１１に示すテスターホルダー１５はともに、図８に示すテスターホルダー１５と同様に、テスター収容部３０とバーコード表示プレート３１とプライス表示プレート３２（図１０および図１１では、図示せず）とガイドレール３４とを備えている。このようなテスターホルダー１５，仕切りパーツ３５は、各種のテスター用化粧品１２に対応できるよう、各種のものが作製されている。
【００２３】
上記ＶＩＰ７（図１２参照）は、画面７ａ〜７ｄ（図１３参照）に触れて操作するタッチパネル方式の１０．４インチ高輝度液晶ディスプレイを採用したものであり、先端メディア（ＣＤ−Ｒ）プレーヤーを内蔵し、対話形式（インタラクティブ）により欲しい情報を的確に得られるようにしている。また、上記ＶＩＰ７は、常時コマーシャルが繰り返し流れるＰＲビデオオートリピート機能、店の営業時間に合わせて電源を自動ＯＮ／ＯＦＦするタイマー機能や顧客が正面に立つと自動的にメニュー画面７ａがスタートする人感センサー等を装備しており、上記化粧品陳列用トレイ１３に陳列される各化粧品１１，各テスター用化粧品１２との相乗効果で強力にアピールすることができるようになっている。また、上記ＶＩＰ７は、電源を入れるだけでセットアップされるようになっており、使用中のフリーズ，クラッシュ等も起こらず、メンテナンスフリーである。図１２において、８は上記ＶＩＰ７を陳列用パネル３の支受用垂直板５に取り付けるための専用ラックであり、平坦な陳列面にも載置することができる構造になっている。
【００２４】
上記ＶＩＰ７を用い、例えば、つぎのようにしてカウンセリングを行う（ファンデーション等に関する情報を得る）ことができる。すなわち、まず、顧客が上記ＶＩＰ７の正面に立つと、コマーシャルが流れている画面（図示せず）が自動的にメニュー画面７ａに切り換わる（図１３参照）。このメニュー画面７ａには１個のハートマークが表示されており、５つのメニューで仕切られている。上記各メニューは、上側の『春夏のファンデーションはわがままセレクトで！』と、左側の『夏のポイントメイクテクニック』と、中央の『スキンケアは要チェック！』と、右側の『中野センセイの「コレってオススメ！」』と、下側の『メイクアップレッスン』とである。また、右・下側に『お好きなメニューにタッチして！』と表示されている（図１２では、これらの文字は図示せず）。ついで、上記ハートマーク中の好きなメニューを選び、そのメニューを手指等で軽くタッチする。例えば、『春夏の……セレクトで！』を手指等で軽くタッチすると、メニュー画面７ａから『ファンデーション選び』画面７ｂに切り換わる。この『ファンデーション選び』画面７ｂには、『化粧もち派！軽い感触』と表示された小ハートマークと、『化粧もち派！フィット感』と表示された小ハートマークと、『美白派！クリアな肌色』と表示された小ハートマークとが表示されている。また、左・下側に『お好きなメニューにタッチして！』（図示せず）と表示されている。つぎに、上記小ハートマークのうち、好きな小ハートマークを手指等で軽くタッチすると、『ファンデーション選び』画面７ｂから商品ＰＲ画面（図示せず）に切り換わり、上記好きな小ハートマークに対応した化粧品１１が表示される。また、メニュー画面７ａ中の『夏の……テクニック』を手指等で軽くタッチすると、『ポイントメイク』画面７ｃに切り換わり、メニュー画面７ａ中の『スキン……チェック！』を手指等で軽くタッチすると、『スキンケアの最新情報』画面７ｄに切り換わる。これら両画面７ｃ，７ｄには、『ファンデーション選び』画面７ｂと同様に、３つの小ハートマークが表示されており、これら小ハートマーク中の好きな小ハートマークを手指等で軽くタッチすると、商品ＰＲ画面（図示せず）に切り換わるようになっている。また、メニュー画面７ａ中の『メイクアップレッスン』を手指等で軽くタッチすると、動画が映し出される。なお、メニュー画面７ａ中の『中野セイセイの……オススメ！」』の説明は省略する。このように、上記ＶＩＰ７では、ファンデーション，ポイントメイクおよびスキンケア等の異なるカテゴリーの化粧品１１のうち、情報が欲しい化粧品１１を５つのメニューから選び、順次タッチしていくことにより、対話形式で簡単にカウンセリングを行うことができる。
【００２５】
第２化粧品陳列台は、図２および図３に示すように、陳列台本体１の前後両側に、台部２と陳列用パネル３とが形成されており、陳列台本体１の前後両側の一側（例えば、前側）をベース・スキンケア面とし、他側（例えば、後側）をメイク面としている。また、陳列台本体１の左右両側に鏡４３，４７が取り付けられており、これら両鏡４３，４７が前後両側に大きく飛び出しているため、両陳列用パネル３から各本体トレイ１４を取り外すこと、およびこれら各本体トレイ１４から各テスターホルダー１５を取り外すことができないようになっている。また、陳列台本体１の左右両側の一側（例えば、右側）にカウンセリングカウンター４０（台部４１と固定台４２と鏡４３とＶＩＰ７とを備えている）が形成されており、他側（例えば、左側）に、プロモーション訴求台４４（台部４５と上下可動台４６と鏡４７とコルトンボックス４８とを備えている）が形成されている。これにより、第２化粧品陳列台では、顧客とのカウンセリングにより、顧客のニーズに沿って顧客の好みや肌性等にぴったりの化粧品１１を選ぶことができるようになっている。また、上記両陳列用パネル３は、透光性を有するプラスチック材料（アクリル樹脂板）により作製されており、これら両陳列用パネル３間に照明（図示せず）が配設されている。それ以外の部分は第１化粧品陳列台と同様であり、同様の部分には同じ符号を付している。
【００２６】
上記構成において、第１化粧品陳列台の陳列用パネル３に各化粧品１１および各テスター用化粧品１２を陳列する場合には、まず、各本体トレイ１４に各化粧品１１を載置した状態で、各本体トレイ１４のフック１９の上端Ｕ字部１９ａを陳列用パネル３の所望の支受用垂直板５の一端（右端もしくは左端）に位置決めし、各本体トレイ１４を上記支受用垂直板５側にスライドさせて所望の位置に位置決めする。ついで、各テスターホルダー１５に各テスター用化粧品１２を載置した状態で、各テスターホルダー１５のガイドレール３４を所望の本体トレイ１４のガイドプレート２０の一端（右端もしくは左端）に位置決めし、各テスターホルダー１５を上記ガイドプレート２０側にスライドさせて所望の位置に位置決めする。このとき、さきに、各本体トレイ１４および各テスターホルダー１５を位置決めし、つぎに、各本体トレイ１４および各テスターホルダー１５に各化粧品１１および各テスター用化粧品１２を載置してもよい。
【００２７】
また、第１化粧品陳列台の台部２の上面に各化粧品１１および各テスター用化粧品１２を陳列する場合には、各化粧品陳列用トレイ１３に各化粧品１１および各テスター用化粧品１２を陳列した状態で、台部２の上面に各本体トレイ１４の透明カバー２２の底板２２ａを載置することを行う（図１３参照）。また、通常は、プライス表示カードを差し込んだプライス表示プレート３２でバーコード表示プレート３１の上面３１ａを蓋しておく。そして、プライス表示プレート３２を上方に回動させ（図９参照）、バーコード表示カードに表示されたバーコードをバーコードリーダー等で読み取り処理する。一方、第２化粧品陳列台の陳列用パネル３および台部２の上面に各化粧品１１および各テスター用化粧品１２を陳列する場合、およびバーコードをバーコードリーダー等で読み取り処理する場合にも、第１化粧品陳列台の場合と同様にする。
【００２８】
一方、第１化粧品陳列台の陳列用パネル３に陳列している各化粧品１１および各テスター用化粧品１２を交換する場合には、外側の本体トレイ１４から順にスライドさせて陳列用パネル３から取り外す。また、第１化粧品陳列台の陳列用パネル３に陳列している各テスター用化粧品１２だけを交換する場合には、外側の本体トレイ１４に支受される各テスターホルダー１５のうち、外側のテスターホルダー１５から順にスライドさせて本体トレイ１４から取り外す。
【００２９】
上記のように、この実施の形態では、各化粧品１１，各テスター用化粧品１２の割り付けや交換が簡単に行える。しかも、本体トレイ１４のガイドプレート２０とテスターホルダー１５のガイドレール３４との接触面積が大きく、ガイドプレート２０やガイドレール３４が早期に破損等したり、交換の必要が生じたりすることがない。しかも、固定プレート１８，小形固定プレート２８の多数の凸部１８ａ，２８ａにより、本体トレイ１４の下側に配設された照明２１の光が固定プレート１８，小形固定プレート２８を下から上に通過する際に乱反射し、本体トレイ１４に陳列される化粧品１１を下から明るく照らしている。また、上記照明２１の光は、その下側にある化粧品１１全体を上からも明るく照らしており、アイキャッチ効果に優れている。しかも、バーコード表示プレート３１の上面３１ａにバーコード表示カードを配設し、この上面３１ａを蓋するプライス表示プレート３２の上面３２ａにプライス表示カードを配設しているため、プライス表示カードにバーコードを表示する必要がなく、各種情報やＰＯＰ広告等だけをはっきりと大きく表示することができ、ＰＯＰ効果に優れている。また、プライス表示プレート３２を上方に回動させると、バーコードが外部に露呈するため、従来と同様に、簡単に読み取り処理をすることができる。
【００３０】
なお、上記実施の形態において、第２化粧品陳列台の陳列用パネル３に各本体トレイ１４を一体的に固定してもよいし、各本体トレイ１４に各テスターホルダー１５を一体的に固定してもよい。また、上記実施の形態では、バーコード表示プレート３１にプライス表示プレート３２を回動自在に連結しているが、これに限定するものではなく、バーコード表示プレート３１以外の部分にプライス表示プレート３２を回動自在に連結してもよい。
【００３１】
また、上記実施の形態では、バーコード表示プレート３１の上面３１ａの上下一対の折り返し部にバーコード表示カードを挿抜自在に差し込み、プライス表示プレート３２の上面３２ａの上下一対の折り返し部にプライス表示カードを挿抜自在に差し込んでいるが、バーコード表示プレート３１の上面３１ａにバーコード表示カードを剥離自在に貼着してもよいし、プライス表示プレート３２の上面３２ａにプライス表示カードを剥離自在に貼着してもよい。また、第２化粧品陳列台の両陳列用パネル３の前面に円柱形状の凸部を、前後方向および左右方向に規則正しく整列した状態で、多数突設してもよい。この場合には、上記両陳列用パネル３間に配設された照明の光が上記両陳列用パネル３を透過する際に、上記各凸部で乱反射されて光り輝くため、照明効果に優れる。
【００３２】
【発明の効果】
以上のように、本発明の化粧品陳列台によれば、陳列台本体に上下に多段並設された化粧品陳列用トレイの少なくとも底部が、底部下面から透過した光を乱反射するように構成されているとともに、上記底部の下側に照明が配設されているため、上記照明の光が上記底部を透過する際に乱反射して光り輝き、この輝く光で化粧品陳列用トレイ上の化粧品を下から充分にライトアップすることができる。また、上記照明で、その下側にある化粧品全体を上から充分に照らすことができる。このように、本発明の化粧品陳列台では、化粧品陳列用トレイの下側に配設された照明の光で、この照明の下側にある化粧品全体を上から明るく照らすことができるだけでなく、化粧品陳列用トレイに陳列された化粧品を下からライトアップすることができる。また、上記照明の光が上記底部を透過する際に乱反射して光り輝くため、この輝く光で化粧品を下からライトアップすることができ、照明効果に優れ、顧客の目を強く引き付けることができる。
【００３３】
本発明では、上記底部が透光性を有する材料で形成され、その上面に凹凸が設けられているため、上記底部を透過した光が上記凹凸で乱反射され、輝く光となって上記底部の上側空間を照らす。
【００３４】
本発明では、上記底部が、平板体の上面に凸部が多数突設されたもので構成され、上記各凸部が、前後方向および左右方向に規則正しく整列した状態で突設されているため、平板状に形成された仕切り板等を用い、これを上記各凸部間に形成される隙間に位置決め，固定することにより、上記底部を複数の区域に仕切ることができる。
【００３５】
本発明において、上記背板が透光性を有する材料で形成され、その前面に凹凸が設けられ、上記背板の後側に照明が配設されている場合には、上記背板の後側に配設された照明の光が上記背板を透過して上記凹凸で乱反射され、輝く光となって上記背板の前側空間を照らす。
【００３６】
本発明において、上記背板が、平板体の前面に凸部が多数突設されたもので構成され、上記各凸部が、上下方向および左右方向に規則正しく整列した状態で突設されている場合には、平板状に形成された仕切り板等を用い、これを上記各凸部間に形成される隙間に位置決め，固定することにより、上記背板を複数の区域に仕切ることができる。
【図面の簡単な説明】
【図１】本発明の化粧品陳列台の一実施の形態を示す斜視図である。
【図２】第２化粧品陳列台を示す斜視図である。
【図３】上記第２化粧品陳列台を示す斜視図である。
【図４】化粧品陳列用トレイの説明図である。
【図５】本体トレイを示す斜視図である。
【図６】固定プレートの斜視図である。
【図７】上記固定プレートとひな段とを示す斜視図である。
【図８】テスターホルダーを示す分解斜視図である。
【図９】上記テスターホルダーの作用を示す説明図である。
【図１０】上記テスターホルダーの他の例を示す斜視図である。
【図１１】上記テスターホルダーのさらに他の例を示す斜視図である。
【図１２】ＶＩＰを示す斜視図である。
【図１３】上記ＶＩＰに表示される画面の説明図である。
【図１４】上記化粧品陳列用トレイを台部の上面に載置した状態を示す説明図である。
【図１５】従来例を示す斜視図である。
【図１６】上記従来例の分解斜視図である。
【図１７】プライス・レールの作用を示す説明図である。
【符号の説明】
１３  化粧品陳列用トレイ
１８  固定プレート
２１  照明
【図１】
0003786822.tif 000002
【図２】
0003786822.tif 000003
【図３】
0003786822.tif 000004
【図４】
0003786822.tif 000005
【図５】
0003786822.tif 000006
【図６】
0003786822.tif 000007
【図７】
0003786822.tif 000008
【図８】
0003786822.tif 000009
【図９】
0003786822.tif 000010
【図１０】
0003786822.tif 000011
【図１１】
0003786822.tif 000012
【図１２】
0003786822.tif 000013
【図１３】
0003786822.tif 000014
【図１４】
0003786822.tif 000015
【図１５】
0003786822.tif 000016
【図１６】
0003786822.tif 000017
【図１７】
0003786822.tif 000018